【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
入力されたジョブを実行する画像処理装置であって、
前記画像処理装置の電源をシャットダウンするための指示が入力された場合に、実行中或いは待機中のジョブがあるか否かを判断する判断手段と、
前記判断手段による判断に基づいて、実行中のジョブがあれば当該実行中のジョブに係る情報を、待機中のジョブがあれば当該待機中のジョブに係る情報を一覧表示する表示手段と、
前記表示手段による一覧表示の後、前記画像処理装置の電源をシャットダウンするための指示が更に入力された場合には、前記画像処理装置の電源をシャットダウンするための処理を行うシャットダウン手段と
を備えることを特徴とする画像処理装置。
【請求項２】
前記表示手段は、実行中のジョブに関する情報と、待機中のジョブに関する情報とを区別して一覧表示することを特徴とする請求項１に記載の画像処理装置。
【請求項３】
前記表示手段は、入力されたジョブに関する情報を、ジョブの種類毎にグループ化して表示することを特徴とする請求項１に記載の画像処理装置。
【請求項４】
前記ジョブの種類は、コピー機能、ファックス機能、プリント機能を含むことを特徴とする請求項３に記載の画像処理装置。
【請求項５】
入力されたジョブに関するデータを記憶する記憶手段を更に備え、
前記表示手段は更に、前記画像処理装置の電源をシャットダウンするか否かを確認するための確認画面を表示し、
該確認画面を表示しているときにシャットダウンの指示が入力された場合、前記シャットダウン手段は、
前記一覧表示されたジョブのうち実行中のジョブがあれば当該ジョブの実行を中断させた後に前記記憶手段に記憶されている当該ジョブに関するデータを消去し、
前記一覧表示されたジョブのうちシャットダウン後に保存されない待機中ジョブがあれば当該ジョブに関するデータを前記記憶手段から消去し、
前記待機中のジョブのうちシャットダウン後に保存される待機中ジョブがあれば当該ジョブの実行を不可とするよう制御し、シャットダウンを行う旨を示す画面を表示するとともに、前記画像処理装置の電源をシャットダウンするための処理を行うことを特徴とする請求項１に記載の画像処理装置。
【請求項６】
前記画像処理装置に関する情報を記憶する記憶手段と、
前記記憶手段に記憶された前記画像処理装置に関する情報を更新する更新手段と、
を更に備え、
前記シャットダウン手段が前記画像処理装置をシャットダウンするための処理を行う際に、前記更新手段が前記記憶手段に記憶されている情報を更新するための処理を行なっている場合には、前記画像処理装置の電源をシャットダウンするか否かを確認するための確認画面を表示することを特徴とする請求項１に記載の画像処理装置。
【請求項７】
前記確認画面を表示しているときに前記画像処理装置をシャットダウンするための指示が更に入力された場合、前記シャットダウン手段は、前記更新手段による更新のための処理を終了させることを特徴とする請求項６に記載の画像処理装置。
【請求項８】
前記判断手段が、実行中のジョブ、待機中のジョブが共に無いと判断した場合には、
前記シャットダウン手段は、シャットダウンを行うか否かを確認するための画面を表示することなく、シャットダウンを行う旨を示す画面を表示するとともに、前記画像処理装置をシャットダウンするための処理を行うことを特徴とする請求項１に記載の画像処理装置。
【請求項９】
前記画像処理装置はファクシミリ受信を行なうためのファクシミリ機能を有し、
前記シャットダウン手段は、前記画像処理装置の電源をシャットダウンするための指示が入力されたことに応答して、前記ファクシミリ機能がファクシミリの受信を行うことを制限することを特徴とする、請求項１に記載の画像処理装置。
【請求項１０】
前記シャットダウン手段は、前記画像処理装置の電源をシャットダウンするための処理の実行をキャンセルする指示が入力されたことに応答して、前記ファクシミリ機能がファクシミリの受信を行うことを許可することを特徴とする請求項９に記載の画像処理装置。
【請求項１１】
前記画像処理装置はファクシミリの送受信を行なうためのファクシミリ機能を有し、
前記シャットダウン手段は、前記画像処理装置の電源をシャットダウンするための指示が入力されたことに応答して、待機中であるファクシミリの送信または受信のジョブの実行の継続を停止することを特徴とする請求項１に記載の画像処理装置。
【請求項１２】
前記シャットダウン手段は、前記画像処理装置の電源をシャットダウンするための処理の実行をキャンセルする指示が入力されたことに応答して、実行の継続を停止されていたファクシミリの送信または受信のジョブの実行を再開することを特徴とする請求項１１に記載の画像処理装置。
【請求項１３】
入力されたジョブを実行する画像処理装置の制御方法であって、
前記画像処理装置の電源をシャットダウンするための指示が入力された場合に、実行中或いは待機中のジョブがあるか否かを判断する判断工程と、
前記判断工程における判断に基づいて、実行中のジョブがあれば当該実行中のジョブに係る情報を、待機中のジョブがあれば当該待機中のジョブに係る情報を一覧表示する表示工程と、
前記表示工程における一覧表示の後、前記画像処理装置の電源をシャットダウンするための指示が更に入力された場合には、前記画像処理装置の電源をシャットダウンするための処理を行うシャットダウン工程と
を備えることを特徴とする制御方法。
【請求項１４】
コンピュータに請求項１３に記載の制御方法を実行させる為のプログラム。
【請求項１５】
請求項１４に記載のプログラムを格納した、コンピュータが読み取り可能な記憶媒体。
【手続補正２】
【補正対象書類名】明細書
【補正対象項目名】００１２
【補正方法】変更
【補正の内容】
【００１２】
即ち、入力されたジョブを実行する画像処理装置であって、
前記画像処理装置の電源をシャットダウンするための指示が入力された場合に、実行中或いは待機中のジョブがあるか否かを判断する判断手段と、
前記判断手段による判断に基づいて、実行中のジョブがあれば当該実行中のジョブに係る情報を、待機中のジョブがあれば当該待機中のジョブに係る情報を一覧表示する表示手段と、
前記表示手段による一覧表示の後、前記画像処理装置の電源をシャットダウンするための指示が更に入力された場合には、前記画像処理装置の電源をシャットダウンするための処理を行うシャットダウン手段と
を備えることを特徴とする。
【手続補正３】
【補正対象書類名】明細書
【補正対象項目名】００１４
【補正方法】変更
【補正の内容】
【００１４】
即ち、入力されたジョブを実行する画像処理装置の制御方法であって、
前記画像処理装置の電源をシャットダウンするための指示が入力された場合に、実行中或いは待機中のジョブがあるか否かを判断する判断工程と、
前記判断工程における判断に基づいて、実行中のジョブがあれば当該実行中のジョブに係る情報を、待機中のジョブがあれば当該待機中のジョブに係る情報を一覧表示する表示工程と、
前記表示工程における一覧表示の後、前記画像処理装置の電源をシャットダウンするための指示が更に入力された場合には、前記画像処理装置の電源をシャットダウンするための処理を行うシャットダウン工程と
を備えることを特徴とする。